(57)【要約】【課題】ベッドの有し得る様々な形状の脚部を適切に載置することのできる荷重検出器を提供する。【解決手段】ベッドの脚部の下に配置されて前記ベッド上の被験者の荷重を検出するベッド用の荷重検出器は、基部上で片持ち支持されることにより自由端を有するビーム形ロードセルと、前記ビーム形ロードセルの前記自由端側に連結され且つ前記ベッドの脚部が載置される載置部とを備える。前記載置部は、前記ビーム形ロードセルに連結される連結部と、該連結部の両側に設けられた第１載置部及び第２載置部を有する。前記連結部は、第１載置部と第２載置部とが前記ビーム形ロードセルの延在方向に直交する幅方向において前記ビーム形ロードセルを挟むように、前記ビーム形ロードセルに連結されている。【選択図】図１
2018146238.tif 000002
【特許請求の範囲】
【請求項１】
ベッドの脚部の下に配置されて前記ベッド上の被験者の荷重を検出するベッド用の荷重検出器であって、
基部上で片持ち支持されることにより自由端を有するビーム形ロードセルと、
前記ビーム形ロードセルの前記自由端側に連結され且つ前記ベッドの脚部が載置される載置部とを備え、
前記載置部は、前記ビーム形ロードセルに連結される連結部と、該連結部の両側に設けられた第１載置部及び第２載置部を有し、
前記連結部は、第１載置部と第２載置部とが前記ビーム形ロードセルの延在方向に直交する幅方向において前記ビーム形ロードセルを挟むように、前記ビーム形ロードセルに連結されている荷重検出器。
【請求項２】
第１載置部及び第２載置部の上面が、前記ビーム形ロードセルの上面よりも下方に設けられている請求項１に記載の荷重検出器。
【請求項３】
第１載置部及び第２載置部の各々は、前記ビーム形ロードセルの延在方向において、前記ビーム形ロードセルの自由端を越えて延在する請求項１又は２に記載の荷重検出器。
【請求項４】
前記連結部は、前記ビーム形ロードセルの延在方向に延びて前記ビーム形ロードセルを覆う畝状の連結部であり、且つ前記ビーム形ロードセルの上面に連結されている請求項１〜３のいずれか一項に記載の荷重検出器。
【請求項５】
前記載置部は更に第１載置部及び第２載置部の少なくとも一方に固定された保持部を含み、該保持部は第１載置部及び第２載置部の少なくとも一方から前記ビーム形ロードセルの延在方向に突出する板部と、該板部から上方に起立する壁部とを含む請求項１〜４のいずれか一項に記載の荷重検出器。
【請求項６】
ベッドの上の被験者の荷重を検出する荷重検出システムであって、
ベッドの脚部の下に配置された、請求項１〜５のいずれか一項に記載された複数の荷重検出器と、
前記複数の荷重検出器に接続され、前記複数の荷重検出器の出力に基づいて前記被験者の荷重を算出する制御部とを備える荷重検出システム。
【発明の詳細な説明】
【技術分野】
【０００１】
本発明は、ベッドの脚部の下に配置されて前記ベッド上の被験者の荷重を検出するベッド用の荷重検出器、及び該荷重検出器を備える荷重検出システムに関する。
【背景技術】
【０００２】
病院や介護施設等におけるベッドに加えられる荷重を検出して、ベッド上に患者や入所者が存在しているか否かを判断する在床検知が知られている。荷重を検出する荷重検出器は様々な位置に配置することができ、例えばベッドの支持脚の下に配置することができる。
【０００３】
特許文献１は、ベッドの脚の下に配置し得る荷重検出器として、ひずみゲージが取り付けられた片持ち梁部と、当該片持ち梁部の基端部に取り付けられた載置板部とを有する荷重検出器を開示している。
【先行技術文献】
【特許文献】
【０００４】
【特許文献１】特許第４８２９０２０号
【発明の概要】
【発明が解決しようとする課題】
【０００５】
ベッドの脚部の形状は様々であり、キャスターを有する脚部や、キャスターを有さない棒状の脚部、キャスターを有さない板状の脚部等が知られている。特許文献１には、載置板部の上にベッドの脚部のキャスターを載置し得ることが開示されているが、特許文献１に開示された荷重検出器に、その他の形状の脚部も適切に載置できるとは言い難い。
【０００６】
本発明は、ベッドの有し得る様々な形状の脚部を適切に載置することのできる荷重検出器を提供することを目的とする。
【課題を解決するための手段】
【０００７】
本発明の第１の態様に従えば、
ベッドの脚部の下に配置されて前記ベッド上の被験者の荷重を検出するベッド用の荷重検出器であって、
基部上で片持ち支持されることにより自由端を有するビーム形ロードセルと、
前記ビーム形ロードセルの前記自由端側に連結され且つ前記ベッドの脚部が載置される載置部とを備え、
前記載置部は、前記ビーム形ロードセルに連結される連結部と、該連結部の両側に設けられた第１載置部及び第２載置部を有し、
前記連結部は、第１載置部と第２載置部とが前記ビーム形ロードセルの延在方向に直交する幅方向において前記ビーム形ロードセルを挟むように、前記ビーム形ロードセルに連結されている荷重検出器が提供される。
【０００８】
第１の態様の荷重検出器において、第１載置部及び第２載置部の上面が、前記ビーム形ロードセルの上面よりも下方に設けられていてもよい。
【０００９】
第１の態様の荷重検出器において、第１載置部及び第２載置部の各々は、前記ビーム形ロードセルの延在方向において、前記ビーム形ロードセルの自由端を越えて延在してもよい。
【００１０】
第１の態様の荷重検出器において、前記連結部は、前記ビーム形ロードセルの延在方向に延びて前記ビーム形ロードセルを覆う畝状の連結部であってもよく、且つ前記ビーム形ロードセルの上面に連結されていてもよい。
【００１１】
第１の態様の荷重検出器において、前記載置部は更に第１載置部及び第２載置部の少なくとも一方に固定された保持部を含んでもよく、該保持部は第１載置部及び第２載置部の少なくとも一方から前記ビーム形ロードセルの延在方向に突出する板部と、該板部から上方に起立する壁部とを含んでもよい。
【００１２】
本発明の第２の態様に従えば、
ベッドの上の被験者の荷重を検出する荷重検出システムであって、
ベッドの脚部の下に配置された、第１の態様の複数の荷重検出器と、
前記複数の荷重検出器に接続され、前記複数の荷重検出器の出力に基づいて前記被験者の荷重を算出する制御部とを備える荷重検出システムが提供される。
【発明の効果】
【００１３】
本発明の荷重検出器には、ベッドの有し得る様々な形状の脚部を適切に載置することができる。
【図面の簡単な説明】
【００１４】
【図１】図１は、本発明の実施形態に係る荷重検出器の分解斜視図である。
【図２】図２は、本発明の実施形態に係る荷重検出器の斜視図である。
【図３】図３は、荷重検出器に載置されるベッドの一例を示す斜視図である。
【図４】図４は、荷重検出器に載置されるベッドの他の例を示す斜視図である。
【図５】図５は、変形例に係る荷重検出器の斜視図である。
【図６】図６は、変形例に係る荷重検出器にベッドを載置する様子を説明するための説明図である。
【図７】図７は、変形例に係る載置部の斜視図である。
【図８】図８は、本発明の実施形態に係る荷重検出システムの構成を示す概略図である。
【発明を実施するための形態】
【００１５】
＜第１実施形態＞
図１〜図４を参照して、本発明の第１実施形態のベッド用の荷重検出器１００について、説明する。
【００１６】
第１実施形態の荷重検出器１００は、図１、図２に示す通り、基部１と、基部１によって片持ち支持されるビーム形ロードセル２と、ビーム形ロードセル２により上下に微小移動可能に支持される載置部３とを主に含む。
【００１７】
以下の説明では、ビーム形ロードセル２の延びる方向を荷重検出器１００の長手方向とし、水平面内において長手方向と直交する方向を荷重検出器１００の幅方向とする。
【００１８】
基部１は、矩形平板状の平板部１ａと、平板部１ａの上面に設けられた支持台部１ｂとを有する。基部１は、一例としてアルミ等の金属で形成されているがこれには限定されない。
【００１９】
平板部１ａは、長手方向及び短手方向が、それぞれ、荷重検出器１００の長手方向及び幅方向に一致している。支持台部１ｂは角柱状であり、平板部１ａの長手方向の一端部近傍において、短手方向の略中央部から直立している。
【００２０】
ビーム形ロードセル２は、起歪体２ｓと、起歪体２ｓに貼り付けられたひずみゲージ２ｇとを有する。
【００２１】
起歪体２ｓは、アルミニウム、鉄等の金属で形成されたロバーバル型の起歪体であり、長手方向の略中央部に、幅方向に貫通する貫通孔（不図示）を有する角柱形状である。ひずみゲージ２ｇは、本実施形態では、起歪体２ｓの貫通孔近傍の上面及び下面にそれぞれ１つずつ貼り付けられている。
【００２２】
起歪体２ｓは、その一端の近傍において、基部１の支持台部１ｂの上面に固定されている。限定はされないが、本実施形態では、起歪体２ｓの支持台部１ｂへの固定は、２本のボルトＢを、起歪体２ｓの一端部の近傍に設けられた２つの貫通孔（不図示）に通し、支持台部１ｂの上面に設けられた２つのねじ孔（不図示）に螺合することによりなされている。
【００２３】
起歪体２ｓの一端近傍を支持台部１ｂに固定することにより、起歪体２ｓ（ビーム形ロードセル２）は、当該一端を固定端２ｓ１、他端を自由端２ｓ２として基部１（支持台部１ｂ）に片持ち支持される。
【００２４】
載置部３は、被験体が載置される計量皿であり、平板状の第１載置板３１及び第２載置板３２と、第１、第２載置板３１、３２の間の畝状の連結部３３とを含む。
【００２５】
第１、第２載置板３１、３２は、それぞれ、荷重検出器１００の長手方向に沿って延びる長尺の矩形平板である。第１、第２載置板３１、３２の長手方向の一端側の略半分の領域は、ビーム形ロードセル２（起歪体２ｓ）に隣接して、ビーム形ロードセル２の幅方向両側に設けられている。即ち、第１、第２載置板３１、３２は、その一部（本実施形態では略半分）が、長手方向においてビーム形ロードセル２と重なる位置に設けられており、幅方向においてビーム形ロードセル２を挟んでいる。第１載置板３１の上面と第２載置板３２の上面とは、いずれもビーム形ロードセル２（起歪体２ｓ）の上面よりも下方に位置し、上下方向において互いに同じ高さに位置する。
【００２６】
連結部３３は、長手方向に沿って延びる畝状の部分であり、第１、第２載置板３１、３２をビーム形ロードセル２に連結するとともに、ビーム形ロードセル２を覆ってこれを保護する。
【００２７】
連結部３３は、長尺平板状の頂板部３３ｔと、頂板部３３ｔの短手方向両側に、頂板部３３ｔと略直交して一体に接続された、長尺平板状の一対の側板部３３ｓとを含み、その断面形状は略コ字（略Ｕ字）である。一対の側板部３３ｓの一方の下端には第１載置板３１が、他方の下端には第２載置板３２が、それぞれ側板部３３ｓと略直交して一体に接続されている。
【００２８】
第１、第２載置板３１、３２、頂板部３３ｔ、一対の側板部３３ｓの長手方向は一致している。頂板部３３ｔの上面と、第１、第２載置板３１、３２の上面とは互いに平行である。
【００２９】
頂板部３３ｔの長手方向の一端部近傍には、矩形の開口部Ｈが設けられている。開口部Ｈの大きさ及び機能については後述する。
【００３０】
載置部３は、連結部３３の頂板部３３ｔの長手方向中央近傍において、ビーム形ロードセル２の起歪体２ｓの自由端２ｓ２近傍の上面に固定されている。これにより、ビーム形ロードセル２が、載置部３を、第１、第２載置板３１、３２、及び頂板部３３ｔが水平に位置づけられた状態で、上下に微小移動可能に支持する。
【００３１】
限定はされないが、本実施形態では、載置部３の起歪体２ｓへの固定は、１本のボルトＢを、頂板部３３ｔに設けられた貫通孔（不図示）に通し、起歪体２ｓの自由端２ｓ２近傍の上面に設けられたねじ孔（不図示）に螺合することによりなされている。
【００３２】
載置部３が起歪体２ｓに固定された状態では、起歪体２ｓを支持台部１ｂに固定するボルトＢの頭部は、載置部３の開口部Ｈ内に位置する（図２）。
【００３３】
開口部Ｈは、起歪体２ｓにひずみが生じた際に、載置部３と起歪体２ｓとの接触が、載置部３と起歪体２ｓとの連結部以外の部分において生じることのないような形状及び寸法を有する。具体的な一例として、本実施形態の開口部Ｈは、幅方向の寸法が起歪体２ｓの幅方向の寸法より大きく、長手方向の寸法が起歪体２ｓの長手方向の寸法と略同一である。
【００３４】
荷重検出器１００を用いてベッド上の被験者の荷重を検出する際には、荷重検出器１００を設置面（床面等）に設け、荷重検出器１００の載置部３の上にベッドの脚部を載置する。本実施形態の荷重検出器１００の載置部３には、ベッドが有する様々な形状の脚部を好適に載置することができる。
【００３５】
具体的には例えば、図３に示すベッドＢＤ１が有する脚部ＢＬを、荷重検出器１００の載置部３に適切に載置できる。ベッドＢＤ１の四隅に設けられた脚部ＢＬの各々は、板状の外側脚ＢＬ１と内側脚ＢＬ２とを含む。外側脚ＢＬ１、内側脚ＢＬ２は、それぞれ床板ＢＰの長手方向に平行であり、床板ＢＰの幅方向に離間している。
【００３６】
ベッドＢＤ１の脚部ＢＬを載置部３に載置する際には、外側脚ＢＬ１を第１、第２載置板３１、３２の一方に載置し、内側脚ＢＬ２を第１、第２載置板３１、３２の他方に載置する。これにより、連結部３３及びビーム形ロードセル２は外側脚ＢＬ１と内側脚ＢＬ２との間に配置される。
【００３７】
載置部３上に脚部ＢＬをこのように載置すると、荷重検出器１００は、平面視においてベッドＢＤ１から大きくはみ出すことがないか、又は全くはみ出すことがない。したがって、ベッドＢＤ１の利用者が誤って荷重検出器１００に接触することが防止されており、ひいては外部からの衝撃によりベッドＢＤ１が荷重検出器１００に対してずれ、ベッドＢＤ１が荷重検出器１００から脱落することが防止されている。
【００３８】
また、外側脚ＢＬ１と内側脚ＢＬ２の間の隙間に載置部３の連結部３３及びビーム形ロードセル２が配置されるため、脚部ＢＬと載置部３（荷重検出器１００）との間の幅方向のずれが制限されている。したがって、脚部ＢＬが載置部３から誤って脱落することが防止されている。
【００３９】
荷重検出器１００の載置部３には、図４に示すベッドＢＤ２が有する脚部ＢＬも好適に載置できる。ベッドＢＤ２の四隅に設けられた脚部ＢＬの各々は、床板ＢＰの長手方向に平行な板状である。
【００４０】
ベッドＢＤ２の脚部ＢＬは、第１、第２載置板３１、３２の一方に載置すればよい。この時、連結部３３、ビーム形ロードセル２、及び第１、第２載置板３１、３２の他方が、床板ＢＰの下方に位置するように配置する。荷重検出器１００をベッドＢＤ２に対してこのように配置すると、荷重検出器１００が、平面視においてベッドＢＤ２から大きくはみ出すことがないか、又は全くはみ出すことがない。したがって、ベッドＢＤ２の利用者が誤って荷重検出器１００に接触することが防止されており、ひいては外部からの衝撃によりベッドＢＤ２が荷重検出器１００に対してずれ、ベッドＢＤ２が荷重検出器１００から脱落することが防止されている。
【００４１】
本実施形態の荷重検出器１００の効果を以下にまとめる。
【００４２】
本実施形態の荷重検出器１００は、載置部３が、ビーム形ロードセル２の延在方向に直交する幅方向の一方側に配置された第１載置板３１と、他方側に配置された第２載置板３２とを有している。したがって、第１、第２載置板３１、３２の両方、又はいずれか一方を選択的に使用して、様々な形状のベッド脚を適切に載置部３に載置することができる。
【００４３】
本実施形態の荷重検出器１００は、ビーム形ロードセル２の延在方向において、第１、第２載置板３１、３２がビーム形ロードセル２を挟んでいる。したがって、全体としてコンパクトである。
【００４４】
本実施形態の荷重検出器１００の載置部３は、第１、第２載置板３１、３２が、畝状の連結部３を幅方向に挟んで配置されている。したがって、第１、第２載置板３１、３２に載置されたベッド脚と連結部３３とを接触させることにより、被験体の載置部３上での移動（ズレ）を抑制できる。この効果は、ベッド脚の一部を第１、第２載置板３１、３２の一方に載置し、ベッド脚の他部を第１、第２載置板３１、３２の他方に載置した場合により一層好適に得られる。
【００４５】
本実施形態の荷重検出器１００は、ビーム形ロードセル２が載置部３の連結部３３の下方に配置されており、第１、第２載置板３１、３２に載置されたベッド脚とビーム形ロードセル２との接触が防止されている。したがってベッド脚との接触によりビーム形ロードセル２が損傷する恐れがない。
【００４６】
本実施形態の荷重検出器１００は、載置部３の第１、第２載置板３１、３２の上面が、ビーム形ロードセル２の上面よりも下方に配置されている。したがって、ベッドの脚部の下に荷重検出器１００を配置した場合にベッドの床面が持ち上げられる量は小さい。なお荷重検出器１００全体の高さは、一例として約４０ｍｍ〜６０ｍｍ程度である。
【００４７】
本実施形態の荷重検出器１００は、部品点数が少なく、低コストで容易に製造することができる。
【００４８】
＜変形例＞
上記実施形態の荷重検出器１００において、次の変形態様を採用することもできる。
【００４９】
図５に示すように、変形例の荷重検出器２００は、載置部３の第１載置板３１、第２載置板３２の長手方向の一端に保持部３４、３５がそれぞれ設けられている他は、上記実施形態の荷重検出器１００と同一の構成を有する。
【００５０】
保持部３４、３５は、第１、第２載置板３１、３２から長手方向に延びる板部３４ａ、３５ａと、板部３４ａ、３５ａの先端から起立する壁部３４ｂ、３５ｂとを有する。
【００５１】
板部３４ａ、３５ａの上面は、第１、第２載置板３１、３２の上面と面一である。板部３４ａ、３５ａには、ベッドの脚部のうち、第１、第２載置板３１、３２に載置される部分と直交する部分が載置される。また、第１、第２載置板３１、３２、及び板部３４ａ、３５ａに載置されたベッドの脚部は、保持部３４、３５の壁部３４ｂ、３５ｂに接触することにより、長手方向に沿った移動（位置ずれの発生）が規制される。
【００５２】
具体的には例えば、図６に示す如く荷重検出器２００の載置部３にベッドＢＤ１（図３）の脚部ＢＬを載置する場合には、第１載置板３１に内側脚ＢＬ２が載置され、第２載置板３２に外側脚ＢＬ１が載置される。また、外側脚ＢＬ１、内側脚ＢＬ２の一端に接続されて外側脚ＢＬ１、内側脚ＢＬ２と直交して延びるベッドＢＤ１のヘッドボードＨＢの下縁が、保持部３４、３５の板部３４ａ、３５ａ上に載置される。
【００５３】
この状態において、ヘッドボードＨＢの外面は、保持部３４、３５の壁部３４ｂ、３５ｂに接触する。この接触により、ベッドＢＤ１が、荷重検出器２００の載置部３の上で、床板ＢＰの長手方向に移動することが防止される。
【００５４】
このように、保持部３４、３５を有する載置部３を備える変形例の荷重検出器２００には、互いに直交する２つの部分を含む脚部を適切に載置し、ずれの発生を防止することができる。
【００５５】
なお、必ずしも保持部３４、３５の両方を備える必要はなく、いずれか一方を備えるのみでもよい。
【００５６】
上記実施形態の荷重検出器１００又は上記変形例の荷重検出器２００の第１、第２載置板３１、３２の少なくとも一方は、幅方向の端部に、上方に折り返された壁部を有しても良い。このようは壁部により、第１、第２載置板３１、３２上に載置されたベッドの脚部の幅方向の移動を抑制できる。
【００５７】
上記実施形態の荷重検出器１００において、載置部３に代えて、図７に示す如く平面視でＨ形である、平板状の載置部４を用いても良い。
【００５８】
載置部４は、それぞれ長尺の矩形平板であり、互いに平行に延在する第１、第２載置板４１、４２と、第１、第２載置板４１、４２の長手方向の略中央において、第１、第２載置板４１、４２の間に設けられた略正方形の連結板（連結部）４３とを含む。連結板４３は、第１、第２載置板４１、４２に一体に接続されている。
【００５９】
載置部４は、接続板４３をビーム形ロードセル２の起歪体２ｓの自由端２ｓ２近傍の下面に固定することにより、ビーム形ロードセル２により、上下に微小移動可能に支持される。載置部４がビーム形ロードセル２に固定された状態において、第１、第２載置板４１、４２は、幅方向にビーム形ロードセル２を挟んで、ビーム形ロードセル２の両側に配置される。第１、第２載置板４１、４２の上面は、起歪体２ｓの下面と略面一となる。
【００６０】
なお、ビーム形ロードセル２による載置部４の支持は、接続部４３をビーム形ロードセル２の起歪体２ｓの自由端２ｓ２近傍の上面に固定することにより行ってもよい。
【００６１】
上記実施形態及び変形例においては、第１載置板３１、４１や第２載置板３２、４２は長手方向においてビーム形ロードセル２の自由端（起歪体２ｓの自由端２ｓ２）を越えて延在している。そのため、第１載置板３１、４１や第２載置板３２、４２は長手方向の中央に近い位置でビーム形ロードセル２の自由端に連結されており、荷重検出器１００、２００において偏置誤差が抑制されている。しかしながらこれには限られず、第１載置板３１、４１や第２載置板３２、４２は長手方向においてビーム形ロードセル２の範囲内に収まる寸法及び配置であってもよい。
【００６２】
また、第１載置板３１、４１や、第２載置板３２、４２の形状は矩形には限られない。載置板４の連結板４３は、載置板３の連結部３３と同様に、第１、第２載置板４１、４２と平行な頂板と、一対の側板を含む断面コ字状（Ｕ字状）の部分であってもよく、頂板がビーム形ロードセル２の起歪体２ｓの上面に固定されていてもよい。
【００６３】
載置部３、４の他にも、様々な形態の載置部を使用し得る。代替的な載置部は、ビーム形ロードセル２の幅方向一方側に設けられる第１載置部と、他方側に設けられる第２載置部を有し、且つ、第１、第２載置部がビーム形ロードセル２の幅方向においてビーム形ロードセル２を挟んでいればよい。
【００６４】
＜第２実施形態＞
第２実施形態の荷重検出システム１０００について、これをベッドＢＤ１（図３）と共に使用する場合を例として、図８を参照して説明する。
【００６５】
荷重検出システム１０００は、４つの荷重検出器１００と、制御器ＣＯＮＴを主に有する。４つの荷重検出器１００と制御器ＣＯＮＴとは配線で接続されている。
【００６６】
荷重検出システム１０００を使用する際には、４つの荷重検出器１００の載置部３（図１、２）の上に、ベッドＢＤ１の４本の脚部ＢＬ（外側脚ＢＬ１及び内側脚ＢＬ２）をそれぞれ載置する。これにより、４つの荷重検出器１００の各々は、ベッドＢＤ１の脚ＢＬを介して加えられるベッドＢＤ１上の被験者の荷重の一部を検出する。
【００６７】
４つの荷重検出器１００に接続された制御器ＣＯＮＴは、各荷重検出器１００のビーム形ロードセル２からの出力に基づいて被験者の荷重値を求める。
【００６８】
本実施形態の荷重検出システム１０００は、第１実施形態の荷重検出器１００を使用しているため、第１実施形態の荷重検出器１００と同様の効果を得ることができる。
【００６９】
なお、本実施形態の荷重検出システム１０００において、荷重検出器１００の数は４つには限られず、３つ以下でもよく、５つ以上でもよい。また荷重検出器１００として、各変形例の荷重検出器を用いてもよい。
【００７０】
なお、本実施形態の荷重検出システムにおいて、荷重検出器１００からの出力を、配線ではなく無線により制御器ＣＯＮＴに送信してもよい。また制御器ＣＯＮＴには、制御器ＣＯＮＴによって求められた荷重を表示するための表示器や、求められた荷重に基づいて所定の報知を行うための報知機が接続されていてもよい。
【００７１】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【００７２】
本発明の荷重検出器には、ベッドが有し得る様々な形状の脚部を良好に載置することができる。したがって本発明によれば、様々なベッドに対して良好に使用し得る荷重検出器を提供できる。
【符号の説明】
【００７３】
１  基部、２  ビーム形ロードセル、３，４  載置部、３１，４１  第１載置部、３２，４２  第２載置部、１００  荷重検出器、１０００  荷重検出システム
【図１】
2018146238.tif 000003
【図２】
2018146238.tif 000004
【図３】
2018146238.tif 000005
【図４】
2018146238.tif 000006
【図５】
2018146238.tif 000007
【図６】
2018146238.tif 000008
【図７】
2018146238.tif 000009
【図８】
2018146238.tif 000010